(57)【特許請求の範囲】
【請求項１】
証券を印刷して発行する証券発行装置において、
読取手段により読み取り可能に形成される特殊コード及び該特殊コード以外の前記証券の券面を構成する他の印刷情報を前記証券の券面に印刷する同一の印刷手段と、
印刷濃度を設定する印刷濃度設定手段と、
を具備し、
前記印刷手段は、ユーザにより券面全体の印刷濃度が設定された場合に、前記特殊コードは他の印刷情報と異なる印刷濃度の制御を行い、他の印刷情報とは関係しない特殊コードの規格に基づいた印刷濃度で当該特殊コードを印刷することを特徴とする証券発行装置。
【請求項２】
前記他の印刷情報は、発行する証券が証券として成立するための記載必要項目及びその内容からなる証券の要件を表すものであることを特徴とする請求項１記載の証券発行装置。
【請求項３】
前記特殊コードは、磁気読取装置により読み取り可能なＭＩＣＲ文字であることを特徴とする請求項１記載の証券発行装置。
【請求項４】
前記印刷手段は、潜像形成電圧を変更することにより前記印刷濃度を制御することを特徴とする請求項２記載の証券発行装置。
【請求項５】
前記印刷手段は、前記証券券面の印刷領域を文字印刷領域と特殊コード印刷領域に区別し、該印刷領域毎に前記潜像形成電圧を変更することを特徴とする請求項４記載の証券発行装置。
【請求項６】
証券を印刷して発行する証券発行装置において、
印刷濃度を設定する印刷濃度設定手段と、
前記券面に印刷され、読取手段により読み取り可能に形成される特殊コードの文字に対して線の太さが異なる複数種の文字フォントを設定する文字フォント設定手段と、
前記証券の印刷前にユーザにより前記印刷濃度設定手段に設定された印刷濃度を検出し、当該印刷濃度に応じて、前記証券の券面に印刷しようとする特殊コードの文字に応じて前記文字フォント設定手段に設定された複数種の文字フォントから印刷濃度に対応する線の太さを有する文字フォントを読み出して当該特殊コードの文字を印刷する印刷手段と、
を具備し、
前記印刷手段は、前記印刷濃度設定手段に設定された印刷濃度が特殊コードの文字については濃すぎる場合は、前記文字フォント設定手段に設定する文字フォントを現在の文字フォントよりも線の太さが細い文字フォントを読み出し、前記印刷濃度が特殊コードの文字については淡すぎる場合は、現在の文字フォントよりも線の太さが太い文字フォントを読み出して、特殊コードの規格に基づいた印刷濃度で当該特殊コードを印刷することを特徴とする証券発行装置。
【請求項７】
前記券面に印刷する特殊コードの文字は、磁気読取装置により読み取り可能なＭＩＣＲ文字であることを特徴とする請求項６記載の証券発行装置。
【発明の詳細な説明】
【０００１】
【発明の属する技術分野】
本発明は、手形や小切手等の証券を印刷発行する証券発行装置に関する。
【０００２】
【従来の技術】
従来の金融機関の事務センター等において行われている手形帳、小切手帳の発行業務に利用されている証券発行装置では、その証券の券面に必要事項を印刷するページプリンタと、その券面に印刷されたＭＩＣＲ（Ｍａｇｎｅｔｉｃ  Ｉｎｋ  Ｃｈａｒａｃｔｅｒ  Ｒｅｃｏｇｎｉｔｉｏｎ：磁気インキ文字読取用字体）を読み取る磁気読取装置用エンコーダー装置を一体化している。この証券発行装置で使用されているページプリンタは、通常の一般に使用しているものと同等の性能を有するものである。また、ＭＩＣＲエンコーダーのユニット部分は、通常銀行等で使用されている手形、小切手の金額印字を行う単体のＭＩＣＲエンコーダー装置と同じものである。
【０００３】
このような証券発行装置は、印刷スピードとランニングコストを得るため手形小切手用紙を上下２連式のものを使用し、ページプリンタにおいてその用紙の券面に必要事項を印刷した後、その上下を２つにカットし、カット後にハンマインパクト方式にてＭＩＣＲ文字を印字するという方式をとっている。また、その証券発行装置の排紙スタッカは２組２種類のものが設けられており、その一つはノーマルスタッカで、正常に印刷されたものを蓄え、もう一つはエラースタッカで、何らかのエラーが発生したものを蓄えるもので、該当券は書損として廃棄されるものである。
【０００４】
【発明が解決しようとする課題】
しかしながら、このような従来の証券発行装置にあっては、手形・小切手の要件（手形・小切手として成立するための記載必要項目と内容：手形・小切手法にて定められている）印刷はページプリンタによって行い、ＭＩＣＲ文字印字はハンマインパクト方式のＭＩＣＲエンコーダーによって印字している。また、その他の同様なシステムにおいてもページプリンタがドットプリンタに置き換わった構成である。
【０００５】
このＭＩＣＲ文字印字に関しては、ポリエチレンのベースに磁性体を塗布したワンタイムの専用リボン（カセットタイプとパンケーキタイプが存在する）によって印字するのが通常であるが、このリボン自体はその性質上環境とオペレーションを含む取り扱いに注意を要する。また、その専用リボンによる印字に関しても転写方式のため転写される側（ＭＩＣＲ用紙）の影響（転写不良によるボイド発生）と流通段階での影響（擦れなどによる剥がれなど）を多大に受けてしまい、そのＭＩＣＲ文字の品質の維持のため様々な技術的工夫がなされているのが現状である。
【０００６】
これらのＭＩＣＲ文字印字の問題を改善するため磁気成分（酸化鉄）を適量配合したトナー（ＭＩＣＲトナーと呼ばれている）を使用したページプリンタでＭＩＣＲ文字を印刷する方法が実施されている。
【０００７】
しかし、ＭＩＣＲ文字の規格が詳細であり、この規格はページプリンタで印字されたＭＩＣＲ文字に関しても当然適用されるが、その印刷濃度はページプリンタ本体のボリューム（印刷濃度の設定範囲）またはオペレーションパネルからユーザーの好みの印刷濃度レベルに簡単に設定可能であるため、その印刷濃度設定変更の容易さが印字するＭＩＣＲ文字が影響を受けてしまう。また、ＭＩＣＲ文字用に印字濃度を固定にしてしまうと、他の印刷項目が制約を受けてしまうという問題が生じる。
【０００８】
本発明の課題は、手形・小切手の証券の印刷発行処理の全工程を一元化して、証券発行処理の効率化し、作業負担の軽減を図るとともに、発行された証券品質の向上を可能とする証券発行装置を提供することである。
【０００９】
【課題を解決するための手段】
請求項１記載の発明は、証券を印刷して発行する証券発行装置において、読取手段により読み取り可能に形成される特殊コード及び該特殊コード以外の前記証券の券面を構成する他の印刷情報を前記証券の券面に印刷する同一の印刷手段と、印刷濃度を設定する印刷濃度設定手段と、を具備し、前記印刷手段は、ユーザにより券面全体の印刷濃度が設定された場合に、前記特殊コードは他の印刷情報と異なる印刷濃度の制御を行い、他の印刷情報とは関係しない特殊コードの規格に基づいた印刷濃度で当該特殊コードを印刷することを特徴とする。
【００１５】
請求項６記載の発明は、証券を印刷して発行する証券発行装置において、印刷濃度を設定する印刷濃度設定手段と、前記券面に印刷され、読取手段により読み取り可能に形成される特殊コードの文字に対して線の太さが異なる複数種の文字フォントを設定する文字フォント設定手段と、前記証券の印刷前にユーザにより前記印刷濃度設定手段に設定された印刷濃度を検出し、当該印刷濃度に応じて、前記証券の券面に印刷しようとする特殊コードの文字に応じて前記文字フォント設定手段に設定された複数種の文字フォントから印刷濃度に対応する線の太さを有する文字フォントを読み出して当該特殊コードの文字を印刷する印刷手段と、を具備し、前記印刷手段は、前記印刷濃度設定手段に設定された印刷濃度が特殊コードの文字については濃すぎる場合は、前記文字フォント設定手段に設定する文字フォントを現在の文字フォントよりも線の太さが細い文字フォントを読み出し、前記印刷濃度が特殊コードの文字については淡すぎる場合は、現在の文字フォントよりも線の太さが太い文字フォントを読み出して、特殊コードの規格に基づいた印刷濃度で当該特殊コードを印刷することを特徴とする。
【００２１】
【発明の実施の形態】
以下、図を参照して本発明の実施の形態を詳細に説明する。
【００２２】
（第１の実施の形態）
図１〜図１６は、本発明の証券発行装置を適用した第１の実施の形態の証券印刷発行システムを示す図である。この証券発行システムは、金融機関の事務センター等に設置されて、上記ＪＩＳのＸ９００２により規格化されたＭＩＣＲ文字を含む証券（手形、小切手等）を印刷して発行するために利用される。
【００２３】
まず、構成を説明する。
【００２４】
図１は、本第１の実施の形態の証券印刷発行システムの全体の概略構成を示す図である。この図１において、証券印刷発行システムは、証券検査装置１０及びＭＩＣＲトナープリンタ２０の各動作を制御及び管理するコンピュータシステム１と、証券検査装置１０と、ＭＩＣＲトナープリンタ２０と、から構成されており、コンピュータシステム１と証券検査装置１０及びＭＩＣＲトナープリンタ２０との間には、証券検査装置制御信号ケーブルＣ１及びプリンタ制御信号ケーブルＣ２が接続されている。
【００２５】
この図１において、コンピュータシステム１は、その機能的構成を図２に示すブロック図のように、ＣＰＵ２、表示装置３、入力装置４、ＲＡＭ５、記憶装置６及び記憶媒体７により構成されており、記憶媒体７を除く各部はバス８により相互に接続されている。また、そのバス８には上記各ケーブルＣ１〜Ｃ２を介して証券検査装置１０と、ＭＩＣＲトナープリンタ２０と、が接続される。
【００２６】
ＣＰＵ（Ｃｅｎｔｒａｌ  Ｐｒｏｃｅｓｓｉｎｇ  Ｕｎｉｔ  ）２は、記憶装置６内に格納された証券印刷制御処理プログラムに従って後述する証券印刷制御処理を実行し、ＭＩＣＲトナープリンタ２０における用紙券面への印刷処理を制御するプリンタ制御信号をバス８及びプリンタ制御信号ケーブルＣ２を介してＭＩＣＲトナープリンタ２０に出力する。
【００２７】
このＣＰＵ２により実行される証券印刷制御処理では、後述する記憶装置６内の依頼ファイル６ａに格納された依頼ファイル（銀行コード、支店コード、口座コード、ＩＤ、顧客名等の各種項目データを含む）を取得し、この依頼ファイル内の各種項目データの正当性を確認し、当該各種項目データに該当する各種データを記憶装置６内の該当ファイルから取得して、後述するＲＡＭ５内の発行ファイル５ａに格納する。そして、ＣＰＵ２は、さらに記憶装置６内の署名鑑ファイルから該当する署名鑑イメージを取得して、ＭＩＣＲトナープリンタ２０への手形・小切手証券印刷データの送出を開始し、その手形・小切手証券印刷に必要な基本フォーマットや印刷制御ファイルを記憶装置６内の該当ファイルからＭＩＣＲトナープリンタ２０へダウンロードして、手形・小切手証券印刷処理を実行させる。
【００２８】
また、ＣＰＵ２は、証券検査装置１０内の各部における動作を監視して制御する各種制御信号をバス８及び証券検査装置制御信号ケーブルＣ１を介して証券検査装置１０に出力するとともに、証券検査装置１０から入力されるＭＩＣＲ文字データ及び券面イメージデータ等を証券検査装置制御信号ケーブルＣ１及びバス８を介して授受する。
【００２９】
表示装置３は、ＣＰＵ２から入力される各種表示データを表示し、例えば、上記ＣＰＵ２により実行される証券印発行御処理に必要な各種パラメータを入力する入力画面、その証券印刷発行処理の各処理工程を示す処理工程画面、あるいは証券印刷発行処理において発生するエラー内容等を表示する。
【００３０】
入力装置４は、上記ＣＰＵ２により実行される証券印刷発行処理に必要な各種パラメータを入力するとともに、その証券印刷発行処理の起動や停止を指示入力し、その各種入力指示信号をＣＰＵ２に出力する。
【００３１】
ＲＡＭ（Ｒａｎｄｏｍ  Ａｃｃｅｓｓ  Ｍｅｍｏｒｙ）５は、上記ＣＰＵ２により実行される証券印刷制御処理に必要なファイル及びパラメータを格納するメモリエリアを形成しており、その内部のメモリ構成を図３に示す。図３においてＲＡＭ５は、上記ＣＰＵ２により実行される証券印刷制御処理において記憶装置６から取得される各種項目データに該当する各種データを格納する発行ファイル５ａと、印刷濃度を設定する印刷濃度設定メモリ５ｂと、を備える。
【００３２】
記憶装置６は、プログラムやデータ等が予め記憶されている記憶媒体７を有しており、この記憶媒体７は磁気的、光学的記録媒体、若しくは半導体メモリで構成されている。この記憶媒体７は記憶装置６に固定的に設けたもの、若しくは着脱自在に装着するものであり、この記憶媒体７には上記証券印刷制御処理プログラム、ＭＩＣＲ文字制御プログラム及び各処理プログラムで処理されたデータ等を記憶する。
【００３３】
また、この記憶媒体７に記憶するプログラム、データ等は、通信インターフェース７により公衆回線網等を介して接続された他の機器から受信して記憶する構成にしてもよく、更に、公衆回線網を介して接続された他の機器側に上記記憶媒体を備えた記憶装置を設け、この記憶媒体７に記憶されているプログラム、データを通信回線を介して使用する構成にしてもよい。
【００３４】
また、記憶装置６は、図４に示すように、発行対象である手形・小切手証券の印刷項目を設定した依頼ファイルを格納する依頼ファイル６ａと、顧客の口座番号データを格納する口座マスタファイル６ｂと、支店コードを格納する支店マスタファイル６ｃと、顧客情報を格納する顧客マスタファイル６ｄと、発行した小切手に付与する小切手番号を管理する小切手番号ファイル６ｅと、顧客の署名鑑イメージを格納する署名鑑ファイル６ｆと、発行対象である手形・小切手証券の実イメージを格納する部品イメージファイル６ｇと、手形・小切手証券を印刷するための印字制御ファイルを印字制御ファイル６ｈと、各印刷項目の券面内の印刷位置を証券書式ファイルを格納する証券書式ファイル６ｉと、ＭＩＣＲ文字の文字フォントを格納するＭＩＣＲ文字フォントファイル６ｊと、濃度設定パラメータを設定する濃度設定パラメータテーブル６ｋと、を備える。
【００３５】
また、上記依頼ファイル６ａに格納される依頼ファイル内に設定された印刷項目としては、図５に示すうに、銀行コード、支店コード、口座コード、ＩＤ及び顧客名等の印刷項目を関連付けて格納する。
【００３６】
さらに、上記証券書式ファイル６ｉに格納される証券書式ファイルとしては、図６に示すように、フィールド名（証券種別、証券番号、署名鑑、ＭＩＣＲ文字）毎に領域座標を設定している。さらにまた、上記署名鑑ファイル６ｆに格納される署名鑑イメージとしては、図７に示すように、その顧客の署名鑑イメージデータ毎に支店コード、口座コード及びＩＤを設定して格納している。
【００３７】
ここで、本第１の実施の形態において上記ＣＰＵ２の証券印刷制御処理により印刷対象となる小切手の券面印刷例を図８に示す。
【００３８】
この図８に示す小切手券面印刷例においては、その印刷対象部分は大きく分けて以下の２つのグループに分類される。
【００３９】
▲１▼予めグラフィック等で作成したイメージ部品として記憶装置６内の部品イメージファイル６ｇに格納される部分、すなわち、図８に示す以下の項目。
【００４０】
・控え部分（小切手番号を除く）
・“小切手”の表題
・“支払地”の表題
・“上記の〜へお支払いください”の文面
・“振出日”、“振出地”、“振出人”の各表題
・振出人欄の一点鎖線
・“株式会社○○○”のロゴマーク
▲２▼依頼人毎、冊内での変動項目部分、すなわち、図８において○で囲む以下の項目。
【００４１】
・小切手番号
・支払地名称
・支店名称
・振出地名称
・交換所枠内コード
・該当ＭＩＣＲ文字
・署名鑑データ
以上の変動項目は、小切手番号の印字を除く全ての変動項目をイメージ印刷する。図８において、例えば、振出地の住所“東京都中央区”はコードデータではなく、予めフォントイメージを組み立てて矩形イメージとして印刷するものとする。
【００４２】
さらに、本第１の実施の形態において上記ＣＰＵ２の証券印刷制御処理により印刷対象となる手形・小切手を同時に印刷可能とする２連用紙の具体例を図９に示す。
【００４３】
この図９に示す２連用紙は、２面付け手形、小切手の各用紙であり、手形・小切手にはＭＩＣＲ文字を印字するための領域、すなわち図中の１面サイズでの用紙下端より１５．８ｍｍの領域（斜線部分）：クリアバンドと呼ばれる領域も規格化されており、この領域内へのＭＩＣＲ文字以外の磁気を含む印刷は禁止されている（但し、磁気を含まない事前印刷される地紋印刷は通常行われている）。したがって、上記ＣＰＵ２の証券印刷制御処理では、このクリアバンド内は他の領域と区別した印刷制御が必要である。このクリアバンド内での印刷制御は、後述するＭＩＣＲトナープリンタ２０内のコントローラ部２３により後述するＭＩＣＲフォント制御処理において実行される。
【００４４】
また、図１において、証券検査装置１０の内部は、カール矯正機構１１、スリッタ機構１２、印刷券面チェック機構１３及びスタック機構１４により構成されている。
【００４５】
カール矯正機構１１は、ＭＩＣＲトナープリンタ２０から印刷後に排紙される手形・小切手用紙のカール状態を矯正してスリッタ機構１２に排紙する。
【００４６】
スリッタ機構１２は、その内部にスリッタ（図示せず）を備え、カール矯正機構１１からカール状態矯正後に排紙される手形・小切手用紙を印刷した２連の用紙をスリッタにより第１の証券と第２の証券の１面ずつ半分にカットして分離し、そのカット分離した第１の証券と第２の証券を印刷券面チェック機構１３内の各走行経路に排紙する。
【００４７】
印刷券面チェック機構１３は、その内部に２系統の用紙搬送機構を有する用紙搬送経路を備え、各用紙搬送経路上にはＭＩＣＲリーダ１３１とイメージリーダ１３２が設けられている。印刷券面チェック機構１３は、その内部の各用紙搬送経路にスリッタ機構１２から１面ずつ分離排紙される第１の証券と第２の証券とを搬送し、ＭＩＣＲリーダ１３１とイメージリーダ１３２が読取可能な速度で図中のスタック機構１４の方向に搬送して印刷券面チェック機構１３からスタック機構１４にそれぞれ排紙する。
【００４８】
ＭＩＣＲリーダ１３１は、その各走行経路上を搬送される第１の証券及び第２の証券の各券面に印刷されたＭＩＣＲ文字をそれぞれ読み取り、その読み取った各ＭＩＣＲ文字データを証券検査装置制御信号ケーブルＣ１を介してコンピュータシステム１にそれぞれ出力する。イメージリーダ１３２は、その各走行経路上を搬送される第１の証券及び第２の証券の各券面に印刷された印刷イメージをそれぞれ読み取り、その読み取った各印刷イメージデータを証券検査装置制御信号ケーブルＣ１を介してコンピュータシステム１にそれぞれ出力する。
【００４９】
スタック機構１４は、その内部に２系統の用紙搬送機構を有する用紙搬送経路と、この各用紙搬送経路を搬送される上記手形券及び小切手券を、その段毎に正常処理券、エラー処理券として２段に蓄えるスタッカを手形と小切手の券毎に備える。
【００５０】
また、ＭＩＣＲトナープリンタ２０は、その内部構成は図１０に示すブロック図のように、表示操作部２１、インターフェース（Ｉ／Ｆ）部２２、コントローラ部２３、ホッパ２４、エンジン部２５、スタッカ部２６及び電源部２７により構成されている。
【００５１】
表示操作部２１は、印刷処理に必要な各種パラメータ等を入力する操作キーを備えるとともに、その入力情報や各種パラメータ及び印刷処理モード等を表示する表示部を備える。操作表示部２１は、その操作キーから入力される各種指示信号をインターフェース部２２に出力し、その各種指示信号に基づく操作情報やインターフェース部２２から入力される各種パラメータ及び印刷処理モード等の表示情報を表示部に表示する。
【００５２】
インターフェース部２２は、その内部に外部の上記コンピュータシステム１との間を接続するプリンタ制御信号ケーブルＣ２が接続される外部インターフェース２２ａと、コントローラ部２３との間を接続する内部ケーブルが接続されるビデオインターフェース２２ｂと、を備える。
【００５３】
インターフェース部２２は、コンピュータシステム１からプリンタ制御信号ケーブルＣ２を介して外部インターフェース２２ａに入力される各種印刷制御信号や印刷データ等を所定の信号形態に変換して、ビデオインターフェース２２ｂから内部ケーブルを介してコントローラ部２３に出力し、また、コントローラ部２３からビデオインターフェース２２ｂに入力される印刷時の印刷応答信号を所定の信号形態に変換して、外部インターフェース２２ａからプリンタ制御信号ケーブルＣ２を介してコンピュータシステム１に出力するとともに、その応答信号に応じた表示情報を表示操作部２１に出力する。
【００５４】
コントローラ部２３は、その内部に上記インターフェース部２２との間を接続する内部ケーブルが接続されるビデオインターフェース２３ａと、エンジン部２５との間を接続する内部ケーブルが接続されるプリンタコントロール２３ｂと、を備える。
【００５５】
コントローラ部２３は、インターフェース部２２からビデオインターフェース２３ａに各種印刷制御信号や印刷イメージデータ等が入力されると、その各種印刷制御信号に従ってエンジン部２５内各部の印刷動作を制御する各種制御信号をプリンタコントロール２３ｂからエンジン部２５に出力するとともに、エンジン部２５内のヘッドコントロール２５ａにより手形・小切手の潜像を生成するため、その手形・小切手の各印刷イメージデータをプリンタコントロール２３ｂからヘッドコントロール２５ａに出力する。
【００５６】
また、コントローラ部２３は、エンジン部２５内部から印刷動作に応じて出力される各種応答信号がプリンタコントロール２３ｂに入力されると、その各種応答信号に応じてコンピュータシステム１に応答するための処理を実行して、所定の印刷応答信号をビデオインターフェース２３ａからインターフェース部２２に出力するとともに、動作中の印刷モードを表示させるための動作モード表示信号等の表示情報をビデオインターフェース２３ａからインターフェース部２２に出力する。また、コントローラ部２３内のビデオインターフェース２３ａ内には、インターフェース部２２から入力される印刷イメージデータ等を一時的に格納する受信バッファ（図示せず）を備える。
【００５７】
ホッパ２４は、上記図９に示した２面付けの手形・小切手印刷用紙がセットされる用紙カセットと、その用紙カセットにセットされた手形・小切手印刷用紙を１枚ずつエンジン部２５に給紙する自動給紙機構ＡＰＦ（Ａｕｔｏ  Ｐａｐｅｒ  Ｆｅｅｄｅｒ  ）と、を備える。
【００５８】
エンジン部２５の内部は、ヘッドコントロール２５ａ、潜像部２５ｂ、現像部２５ｃ、レジスト部２５ｄ、ドラム２５ｅ、転写部２５ｆ、分離部２５ｇ、クリーニング部２５ｈ及び定着部２５ｉにより構成されている。
【００５９】
ヘッドコントロール２５ａは、上記コントローラ部２３から入力される手形・小切手の各印刷データに基づいて潜像部２５ｂを制御して、潜像部２５ｂにおいてドラム２５ｅ上の感光体フィルムに手形・小切手の各静電潜像を形成させる。潜像部２５ｂは、ドラム２５ｅ上の感光体フィルムを帯電させる帯電機能と、その感光体フィルムに印刷イメージデータを変調した光を照射する記録機能と、を備え、ドラム２５ｅ上の感光体フィルムを帯電させた後、ヘッドコントロール２５ａから入力される手形・小切手の各印刷イメージデータを変調した光をドラム２５ｅ上の感光体フィルムに照射して、感光体フィルムに手形・小切手の静電潜像を形成させる。
【００６０】
現像部２５ｃは、ＭＩＣＲトナーを供給するトナー供給タンク（図示せず）から供給されるＭＩＣＲトナーを、ドラム２５ｅ上の静電潜像が形成された感光体フィルムの表面に付着させる。
【００６１】
レジスト部２５ｄは、ホッパ２４から１枚ずつ給紙される手形・小切手印刷用紙のジャム（給紙時の用紙詰まり）を検出するジャムセンサを備え、給紙時の手形・小切手印刷用紙のジャムを検出すると、ジャム検出信号をコントローラ部２３に送出して、ホッパ２４の給紙動作を停止させる。
【００６２】
ドラム２５ｅは、その外周面に感光体フィルム（図示せず）が巻き付けられており、図中の矢印方向に回転して潜像部２５ｂにより感光体フィルムに手形・小切手の各静電潜像が形成された後、現像部２５ｃによりその静電潜像が形成された部分にＭＩＣＲトナーが付着される。ドラム２５ｅがさらに回転すると、ＭＩＣＲトナーが付着された感光体フィルムは、転写部２５ｆにおいて搬送されてきた手形・小切手印刷用紙の券面にＭＩＣＲトナーが転写される。ドラム２５ｅがさらに回転すると、手形・小切手印刷用紙へのＭＩＣＲトナーの転写が完了した感光体フィルムは、クリーニング部２５ｈにより残ったＭＩＣＲトナーが除去され、再度、記録に供される。
【００６３】
転写部２５ｆは、ホッパ２４から１枚ずつ給紙される手形・小切手印刷用紙の券面に、ドラム２５ｅの回転により当該転写部２５ｆ上に搬送される感光体フィルムに付着されたＭＩＣＲトナーを転写させる。
【００６４】
分離部２５ｇは、転写部２５ｆにおいてドラム２５ｅ上の感光体フィルムからＭＩＣＲトナーが転写された手形・小切手印刷用紙をドラム２５ｅから分離して、定着部２５ｉに排紙する。
【００６５】
定着部２５ｉは、定着ヒーター（図示せず）により加熱される定着ローラを備え、分離部２５ｇから排紙される手形・小切手印刷用紙を定着ローラにより搬送し、定着ローラによりＭＩＣＲトナーを手形・小切手印刷用紙に定着させて、スタッカ２６に排紙する。
【００６６】
スタッカ２６は、エンジン部２５内の定着部２５ｉから排紙される手形・小切手印刷用紙を蓄える。電源部２７は、図外の外部の電灯線から供給される商用電圧を所定の電源電圧に変換し、その電源電圧をインターフェース部２２、コントローラ部２３及びエンジン部２５に供給する。
【００６７】
次に、本第１の実施の形態の動作を説明する。
【００６８】
上記コンピュータシステム１内のＣＰＵ２により実行される印刷制御処理について図１１に示すフローチャートに基づいて説明する。
【００６９】
まず、ＣＰＵ２は、記憶装置６内の依頼ファイル６ａから印刷に必要な印刷項目データ（銀行コード、支店コード、口座コード、ＩＤ及び顧客名）を取得し（ステップＳ１）、これら印刷項目データの正当性をチェックする（ステップＳ２）。次いで、取得した各印刷項目データをキーワードとして、記憶装置６内の口座マスタファイル６ｂ、支店マスタファイル６ｃ、顧客マスタファイル６ｄ、小切手番号ファイル６ｅから該当するデータを取得して、発行ファイルを作成してＲＡＭ５内の発行ファイル５ａに格納する（ステップＳ３）。
【００７０】
そして、ステップＳ３で取得した支店コード、口座コード及びＩＤの合計１７桁のユニークコードに対応する署名鑑イメージデータを記憶装置６内の署名鑑ファイルｆから取得し（ステップＳ４）、ＭＩＣＲトナープリンタ２０への印刷データの送出を開始する（ステップＳ５）。次いで、手形・小切手の各証券の基本フォーマットを記憶装置６内の部品イメージファイル６ｇからダウンロードして（ステップＳ６）、ステップＳ４で取得した署名鑑イメージデータをＭＩＣＲトナープリンタへダウンロードする（ステップＳ７）。
【００７１】
次いで、ステップＳ３でＲＡＭ５内の発行ファイル５ａに格納した発行ファイルと、記憶装置６内の印字制御ファイル６ｈに格納された印字制御ファイルに基づいてＭＩＣＲトナープリンタ２０における手形・小切手の印刷処理を制御し（ステップＳ８）、その印刷処理を手形・小切手が１ロット（１冊：５０枚）分蓄えられるまで繰返し実行する。
【００７２】
このＭＩＣＲトナープリンタ２０における手形・小切手の印刷制御処理では、コンピュータシステム１からプリンタ制御信号ケーブルＣ２を介してＭＩＣＲトナープリンタ２０に対して、上記発行ファイルデータ及び署名鑑イメージデータが順次送出される。すなわち、図８に示した小切手の場合であれば、予めグラフィック等で作成したイメージ部品として記憶装置６内の部品イメージファイル６ｇに格納された部分の項目データ（控え部分（小切手番号を除く）、“小切手”の表題、“支払地”の表題、“上記の〜へお支払いください”の文面、“振出日”、“振出地”、“振出人”の各表題、振出人欄の一点鎖線、“株式会社○○○”のロゴマーク）と、依頼人毎、冊内での変動項目部分、すなわち、図８において○で囲む項目データ（小切手番号、支払地名称、支店名称、振出地名称、交換所枠内コード、該当ＭＩＣＲ文字、署名鑑データ）が、コンピュータシステム１からＭＩＣＲトナープリンタ２０に対して送出される。
【００７３】
ＭＩＣＲトナープリンタ２０内では、上記コンピュータシステム１から送出される各印刷項目の部品イメージデータ及び変動項目イメージデータを、インターフェース部２２を介してコントローラ部２３に入力されると、コントローラ部２３からエンジン部２５に対して当該手形・小切手の印刷処理の開始指示が出力されるとともに、上記部品イメージデータ及び変動項目イメージデータに基づく印刷イメージデータが出力されて、エンジン部２５内における当該手形・小切手の印刷処理が制御される。
【００７４】
エンジン部２５内では、ヘッドコントロール２５ａにより、コントローラ部２３から入力される手形・小切手の各印刷データに基づいて潜像部２５ｂが制御され、潜像部２５ｂでは、ドラム２５ｅ上の感光体フィルムを帯電させた後、ヘッドコントロール２５ａから入力される手形・小切手の各印刷イメージデータを変調した光をドラム２５ｅ上の感光体フィルムに照射して、感光体フィルムに手形・小切手の静電潜像が形成される。
【００７５】
ドラム２５ｅは、図中の矢印方向に回転して潜像部２５ｂにより感光体フィルムに手形・小切手の各静電潜像が形成された後、現像部２５ｃによりその静電潜像が形成された部分にＭＩＣＲトナーが付着される。ドラム２５ｅがさらに回転すると、ＭＩＣＲトナーが付着された感光体フィルムは、転写部２５ｆにおいて搬送されてきた手形・小切手印刷用紙の券面にＭＩＣＲトナーが転写される。ドラム２５ｅがさらに回転すると、手形・小切手印刷用紙へのＭＩＣＲトナーの転写が完了した感光体フィルムは、クリーニング部２５ｈにより残ったＭＩＣＲトナーが除去され、再度、記録に供される。
【００７６】
また、レジスト部２５ｄでは、ホッパ２４から１枚ずつ給紙される手形・小切手印刷用紙のジャム（給紙時の用紙詰まり）を検出するジャムセンサにより、給紙時の手形・小切手印刷用紙のジャムを検出すると、ジャム検出信号がコントローラ部２３に送出されて、ホッパ２４の給紙動作を停止させるとともに、当該印刷動作を停止させる。
【００７７】
そして、分離部２５ｇでは、転写部２５ｆにおいてドラム２５ｅ上の感光体フィルムからＭＩＣＲトナーが転写された手形・小切手印刷用紙をドラム２５ｅから分離させて、定着部２５ｉに排紙されると、定着部２５ｉでは、分離部２５ｇから排紙される手形・小切手印刷用紙が定着ヒーターにより加熱される定着ローラにより搬送され、この定着ローラによりＭＩＣＲトナーを手形・小切手印刷用紙に定着させて、スタッカ２６に排紙されて、その印刷終了した手形・小切手印刷用紙が順次蓄えられる。
【００７８】
なお、本第１の実施の形態において印刷対象となる図９に示した手形または小切手を同時に印刷可能とする２連用紙には、ＭＩＣＲ文字を印字するための領域、すなわち図中の１面サイズでの用紙下端より１５．８ｍｍの領域（斜線部分）：クリアバンドと呼ばれる領域も規格化されており、この領域内へのＭＩＣＲ文字以外の磁気を含む印刷は禁止されているため、上記ＣＰＵ２の証券印刷制御処理では、このクリアバンド内は他の領域と区別した印刷制御が必要である。このクリアバンド内での印刷制御は、ＭＩＣＲトナープリンタ２０内のコントローラ部２３においてＭＩＣＲフォント制御処理において実行される。
【００７９】
すなわち、ＭＩＣＲトナープリンタ２０内のドラム２５ｅにおける静電潜像の形成過程を制御するヘッドコントロール２５ａ及び潜像部２５ｂの機能構成は、図１２に示すようになっている。この図１２においてヘッドコントロール２５ａ及び潜像部２５ｂは、制御パラメータとしてセットされた位置情報設定値に基づいてヘッド制御部２５３の静電潜像形成位置を制御する位置制御部２５１と、制御パラメータとしてセットされた電圧制御用設定値に基づいてヘッド制御部２５１の静電潜像形成時の帯電電位を制御する電圧制御部２５２と、これに位置制御部２５１による静電潜像形成位置の制御、及び電圧制御部２５２による静電潜像形成時の帯電電圧値の制御によりドラム２５ｅの感光体フィルム上にＭＩＣＲ文字印字領域Ａ，Ｃと通常印字領域Ｂ，Ｄの各静電潜像を形成するヘッド制御部２５３と、から構成される。
【００８０】
この図１２において、制御パラメータとして位置情報設定値がセットされたパラメータテーブルには、ドラム２５ｅに形成される静電潜像のＭＩＣＲ印字領域Ａ，Ｃを“ＭＩＣＲ印字１，２”として位置情報設定値を“設定３”とし、静電潜像の通常印字領域Ｂ，Ｄを“通常印字１，２”として位置情報設定値を“設定４”としている。また、制御パラメータとして電圧制御用設定値がセットされたパラメータテーブルには、ドラム２５ｅに形成される静電潜像のＭＩＣＲ印字領域Ａ，Ｃを“ＭＩＣＲ印字”として電圧制御用設定値を“設定１”とし、静電潜像の通常印字領域Ｂ，Ｄを“通常印字”として電圧制御用設定値を“設定２”としている。このように制御パラメータの設定をＭＩＣＲ印字領域Ａ，Ｃと通常印字領域Ｂ，Ｄとで区別して設定することにより、ＭＩＣＲ印字領域Ａ，Ｃの制御パラメータを規格に基づいた設定に固定とし、通常印字領域Ｂ，Ｄの制御パラメータをユーザーにより変更可能とすることができる。
【００８１】
この各パラメータテーブルの設定により、図１２のヘッド制御部２５３では、位置制御部２５１から入力される位置制御信号及び電圧制御部２５２から入力される電圧制御信号に基づいてドラム２５ｅの感光対フィルムに形成するＭＩＣＲ文字印字領域Ａ，Ｃと通常印字領域Ｂ，Ｄの各領域を区別するとともに、各領域の設定電位を変更して手形・小切手のＭＩＣＲ文字印字領域Ａ，Ｃの静電潜像及び通常印字領域の静電潜像を形成することができる。
【００８２】
上記ＭＩＣＲの印字領域による制御処理によりＭＩＣＲトナープリンタ２０のエンジン部２５内のヘッドコントロール２５ａ及び潜像部２５ｂによりドラム２５ｅの感光体フィルムに形成されるＭＩＣＲ文字と通常文字の静電潜像及びその実際のＭＩＣＲ文字と通常文字の印字結果の具体例を図１３に示す。
【００８３】
この図１３（ａ）に示す静電潜像とその印字結果の具体例は、上記濃度設定の設定レベルが通常印字領域にて高くセットされている場合の通常印字領域とＭＩＣＲ文字印字領域に形成される静電潜像と印字結果を示している。また、図１３（ｂ）に示す静電潜像とその印字結果の具体例は、上記濃度設定の設定レベルが通常印字領域にて低くセットされている場合の通常印字領域とＭＩＣＲ文字印字領域に形成される静電潜像と印字結果を示している。
【００８４】
この図１３に示すように、上記ＭＩＣＲの印字領域制御処理を実行することにより、通常印字領域の印刷濃度設定と区別して、ＭＩＣＲ文字印字領域には、規格に適合したＭＩＣＲ文字を印刷することができる。
【００８５】
したがって、ユーザーによる印刷濃度設定により券面全体の印刷濃度が高い場合は、通常印字領域Ｂ，Ｄの部分はそのユーザーによる濃度設定のままの濃度によって上記静電潜像の形成を制御し、ＭＩＣＲ文字印字領域の部分は規格に適合した濃度設定によって上記静電潜像の形成を制御することができる。また、ユーザーによる印刷濃度設定により券面全体の印刷濃度が低い場合も同様に制御することができる。
【００８６】
上記第１の実施の形態は、ＭＩＣＲ印字領域と通常印字領域とを区別し直接的に静電潜像の制御を実施しているが、第１の実施の形態の変形例としてＭＩＣＲフォント制御にての実施も可能である。これを図１０のＭＩＣＲトナープリンタ２０内のコントローラ部２３により実行されるＭＩＣＲフォント制御処理について図１５に示すフローチャートに基づいて説明する。なお、この図１５に示すＭＩＣＲフォント制御処理では、図１２に示した各パラメータテーブルの変形例として図１４に示す濃度設定パラメータテーブルを利用するものとする。
【００８７】
この図１４に示す濃度設定パラメータテーブルでは、その濃度レベルを“設定Ａ（濃度高い），設定Ｂ（濃度標準），設定Ｃ（濃度低い）”の３段階に分けており、その設定レベル毎にヘッドコントロール２５ａの制御電圧レベル（○○○ＫＶ以上，○○○ＫＶ〜△△△ＫＶ，△△△ＫＶ以下）と、ＭＩＣＲ文字グループ（文字フォント▲１▼，▲２▼，▲３▼）を設定している。
【００８８】
図１５において、コントローラ部２３では、コンピュータシステム１からインターフェース部２２を介して入力される印刷イメージデータの内容から印刷する手形・小切手券面の印字領域種別を判別し（ステップＳ１１）、その領域種別がＭＩＣＲ印字領域（クリアバンド領域）か否かを判別する（ステップＳ１２）。領域種別がＭＩＣＲ印字領域であれば、コントローラ部２３内に格納された印刷濃度設定メモリ（図示せず）に設定されている濃度レベル（設定Ａ，Ｂ，Ｃ）を検出し（ステップＳ１３）、その検出した濃度レベルに対応するＭＩＣＲ文字フォントグループ及び濃度設定（高い、標準、低い）を、図１４の濃度設定パラメータテーブルに濃度レベルに対応して設定されているＭＩＣＲ文字グループ▲１▼，▲２▼，▲３▼及び濃度設定から選択し、コントローラ部２３内に格納されたＭＩＣＲ文字フォントファイルからこの選択したＭＩＣＲ文字フォントグループを読み出してセットする（ステップＳ１４）。
【００８９】
次いで、このセットしたＭＩＣＲ文字フォントグループにより印刷イメージデータに対応するＭＩＣＲ文字フォントを展開し（ステップＳ１５）、選択したＭＩＣＲ文字グループの文字イメージを印刷用メモリ（図示せず）に展開して、印刷処理を実行する（ステップＳ１６）。すなよち、コントローラ部２３からＭＩＣＲ文字イメージデータをエンジン部２５内のヘッドコントロール２５ａに出力し、ヘッドコントロール２５ａの印刷制御を実行させて潜像部２５ｂによりドラム２５ｅの感光体フィルム上に手形・小切手券面内のＭＩＣＲ文字印字領域に対応する位置にＭＩＣＲ文字の静電潜像を形成させる。
【００９０】
そして、領域種別の判別を完了したか、すなわち入力された印刷イメージデータに対する印字領域種別の判別処理が完了したか否かを判別し（ステップＳ１７）、その判別処理が完了していなければステップＳ１１にの処理に戻って、ＭＩＣＲ文字印字領域のＭＩＣＲ文字印字処理を繰返し実行し、その判別処理が完了していれば、ＭＩＣＲ文字印字領域以外の通常印字領域に対応する手形・小切手券面への印刷イメージデータの印刷処理を実行して（ステップＳ１８）、本ＭＩＣＲフォント制御処理を終了する。
【００９１】
また、ステップＳ１２の領域種別の判別処理において、領域種別がＭＩＣＲ印字領域でなければ、コントローラ部２３内に格納された印刷濃度設定メモリ（図示せず）に設定されている濃度レベル（設定Ａ，Ｂ，Ｃ）に対応する制御電圧レベルを、図１４の濃度設定パラメータテーブルに濃度レベルに対応して設定されている電気的レベル（○○○ＫＶ以上，○○○ＫＶ〜△△△ＫＶ，△△△ＫＶ以下）から選択し、この選択した制御電圧レベルに従ってヘッドコントロール２５ａにより潜像部２５ｂの潜像形成動作を制御させる（ステップＳ１９）。
【００９２】
そして、入力された印刷イメージデータに対する印字領域種別の判別処理が完了したか否かを判別し（ステップＳ１７）、その判別処理が完了していなければステップＳ１１にの処理に戻って、ＭＩＣＲ文字印字領域のＭＩＣＲ文字印字処理を繰返し実行し、その判別処理が完了していれば、ＭＩＣＲ文字印字領域以外の通常印字領域に対応する手形・小切手券面への印刷イメージデータの印刷処理を実行して（ステップＳ１８）、本ＭＩＣＲフォント制御処理を終了する。
【００９３】
以上のように、上記ＭＩＣＲトナープリンタ２０による印刷制御では、図１４に示したように、濃度設定パラメータテーブル中には、濃度設定Ａ，Ｂ，Ｃに対応してＭＩＣＲ文字フォントグループを設定して、ＭＩＣＲ文字印字領域であるクリアバンド域と通常印字領域とで、印刷制御内容すなわち印刷制御パラメータとしての印刷濃度設定を区別することを可能としたため、例えば、エンジン部２５内のヘッドコントロール２５ａにより潜像部２５ｂでドラム２５ｅの感光体フィルムに手形・小切手券面の静電潜像の形成過程を区別して制御が可能であり、かつその形成領域も限定することができる。この静電潜像の形成過程及び形成領域を区別して制御することにより、手形・小切手印刷用紙の券面に転写されるＭＩＣＲトナーの印刷濃度設定をＭＩＣＲ文字印字領域とその他の通常印字領域とで区別して制御することが可能となる。
【００９４】
すなわち、図１６に示すように、ＭＩＣＲ文字フォントを基準フォントより太いか細い場合は、予め線の太さにより数種類用意されたＭＩＣＲ文字フォントの設定変更処理として、細いフォントから太いフォントに変更するＵＰ処理、または太いフォントから細いフォントに変更するＤＯＷＮ処理が可能となる。
【００９５】
また、上記ＭＩＣＲフォント制御処理によりＭＩＣＲトナープリンタ２０のエンジン部２５内のヘッドコントロール２５ａ及び潜像部２５ｂによりドラム２５ｅの感光体フィルムに形成されるＭＩＣＲ文字と通常文字の静電潜像及びその実際のＭＩＣＲ文字と通常文字の印字結果の具体例を図１６に示す。
【００９６】
この図１６（ａ）に示す静電潜像とその印字結果の具体例は、上記濃度設定の設定レベルを“設定Ａ”で“濃度：高い”にセットした場合の通常印字領域とＭＩＣＲ文字印字領域に形成される静電潜像と印字結果を示している。また、図１６（ｂ）に示す静電潜像とその印字結果の具体例は、上記濃度設定の設定レベルを“設定Ｃ”で“濃度：低い”にセットした場合の通常印字領域とＭＩＣＲ文字印字領域に形成される静電潜像と印字結果を示している。
【００９７】
この図１６に示すように、上記ＭＩＣＲフォント制御処理を実行することにより、通常印字領域の印刷濃度設定と区別して、ＭＩＣＲ文字印字領域には、予め用意した規格化に適合したＭＩＣＲ文字フォントグループを利用してＭＩＣＲ文字を印刷することができる。
【００９８】
したがって、ユーザーによる印刷濃度設定により券面全体の印刷濃度が高い場合は、通常印字領域Ｂ，Ｄの部分はそのユーザーによる濃度設定のままの濃度によって上記静電潜像の形成を制御し、ＭＩＣＲ文字印字領域の部分は規格に適合した濃度設定によって上記静電潜像の形成を制御することができる。また、ユーザーによる印刷濃度設定により券面全体の印刷濃度が低い場合も同様に制御することができる。
【００９９】
以上のように、本第１の実施の形態の証券印刷発行システムでは、ＭＩＣＲ文字部分の印字をハードウエアにより区別して制御するため、券面内のその他の印刷部分の印刷濃度の設定変更の影響を受けずに均一な印刷濃度で印字を行うことができ、ＭＩＣＲ文字の印字品質を向上させることができる。
【０１００】
また、本第１の実施の変形した形態の証券印刷発行システムでは、証券の印刷前に印刷濃度の設定に応じてＭＩＣＲ文字フォントグループを切り替えてＭＩＣＲ文字を印刷するようにしたため、印刷濃度設定が変更された場合に適宜にＭＩＣＲ文字フォントを変更して印刷するすることができ、印刷濃度の設定が変更されてもＭＩＣＲ文字の印字品質を維持することができる。
【０１０１】
また、上記のように、本第１の実施の形態の証券印刷発行システムでは、コンピュータシステム１内のＣＰＵ２により証券印刷制御処理が実行されるとともに、及びＭＩＣＲトナープリンタ２０内のコントローラ部２３によりＭＩＣＲフォント制御処理が実行されることにより、上記２面付けの手形・小切手用紙に手形イメージと小切手イメージが印刷される。
【０１０２】
したがって、本第１の実施の形態の証券印刷発行システムでは、ＭＩＣＲトナープリンタ２０により手形・小切手の券面全体をＭＩＣＲ文字も含み同一の印刷部で印刷するため、従来のインパクト方式を利用したＭＩＣＲ文字印字装置が不要となり、そのインパクト印字時の騒音がなくなり、また、機器構成がコンパクトになるため、証券印刷発行システムの処理の高速化と信頼性の向上を図ることができる。
【０１０３】
また、本第１の実施の形態の証券印刷発行システムでは、ＭＩＣＲトナープリンタ２０により手形・小切手の券面全体をＭＩＣＲ文字も含み同一の印刷部で印刷するため、従来のインパクト方式の専用リボンが不要になるため消耗品が減少し、かつ廃棄物も減少してランニングコストを低減することができる。
【０１０４】
なお、上記第１の実施の形態のＭＩＣＲトナープリンタ２０内では、ドラム２５ｅの感光体フィルム上を帯電して静電潜像を形成し、ＭＩＣＲトナーにより手形・小切手の印刷イメージデータを印刷・定着させる例を示した。その静電潜像を形成するヘッドに相当するものとしては、レーザー方式、ＬＥＤ方式等が存在するが、いずれの方式の場合も電気的に制御されているため、上記制御手法を適用することが可能である。
【０１０５】
（第２の実施の形態）
図１７〜図２１は、本発明の使用権発行装置を適用した第２の実施の形態の証券印刷発行システムを示す図である。なお、本第２の実施の形態の証券印刷発行システムの内部構成は、上記図１及び図２に示した証券印刷発行システムの構成及び図１０に示したＭＩＣＲトナープリンタ２０の構成と同一であるため、その構成の図示及び構成説明は省略する。
【０１０６】
上記第１の実施の形態では、ＭＩＣＲトナープリンタ２０における潜像形成時の印刷濃度をＭＩＣＲ文字印字領域と通常印字領域で区別してハードウエアにより制御する場合を説明したが、本第２の実施の形態では、その潜像形成時の印刷濃度をソフトウエアにより制御する場合を説明する。
【０１０７】
本第２の実施の形態のＭＩＣＲトナープリンタ２０内のコントローラ部２３により実行されるフォント文字制御処理について図１７、図１８に示すフローチャートに基づいて説明する。
【０１０８】
この図１７、図１８に示すフォント文字制御処理では、図２０に示す制御パラメータ（位置情報）テーブルに設定された各パラメータに基づいて、手形・小切手券面へのＭＩＣＲ文字印字領域及び通常印字領域に対する印刷イメージデータの印刷制御処理が実行される。
【０１０９】
この手形・小切手の印刷処理を制御する際に、ＭＩＣＲトナープリンタ２０内のコントローラ部２３により実行されるＭＩＣＲ文字制御処理について図１７、図１８に示すフローチャートに基づいて説明する。
【０１１０】
コントローラ部２３は、受信バッファにインターフェース部２２を介してコンピュータシステム１から入力される印刷データを受信すると、本ＭＩＣＲ文字制御処理を開始する。このコンピュータシステム１から入力されて受信バッファに格納される印刷データの具体例を図１９に示す。
【０１１１】
この図１９に示す印刷データでは、ＭＩＣＲ文字コードを設定したデータストリームの前後にＭＩＣＲ文字制御のデータストリームが、１バイト単位で設定されている。図中の上部に示す最初に入力されるＭＩＣＲ文字制御のデータストリームには、ＭＩＣＲ文字制御開始シーケンスを示すコマンドとして“ＥＳＣ（制御シーケンス開始コマンド）”，“Ｍ（ＭＩＣＲ印字制御コマンド）”，“Ｓ（印字開始コマンド）”がセットされ、その下には印字開始座標１として“１００”，“１００”と、印字開始座標２として“１００”，“３００”がセットされている。また、図中の下部に示す最後に入力されるＭＩＣＲ文字制御のデータストリームには、ＭＩＣＲ文字制御終了シーケンスを示すコマンドとして“ＥＳＣ”，“Ｍ”，“Ｅ（印字終了コマンド）”がセットされ、その下には印字終了座標３として“１５００”，“１００”と、印字終了座標４として“１５００”，“３００”がセットされている。
【０１１２】
この各ＭＩＣＲ文字制御のデータストリーム内にセットされた印字開始座標１，２と印字終了座標３，４の各データは、コントローラ部２３により取得された後、図２０に示すような制御パラメータ（位置情報）テーブルが作成されて、エンジン部２５内の各種設定値（印刷濃度設定や文字フォント設定等を含む）が格納されたパラメータテーブルとともにに格納される。そして、この印字開始座標１，２と印字終了座標３，４によって指定された手形・小切手用紙内におけるＭＩＣＲ印字文字領域の関係は、図２１に示すように、Ｘ−Ｙ平面の２次元座標系に基づいて設定されたものである。
【０１１３】
したがって、上記コントローラ部２３においてＭＩＣＲ文字制御処理を開始すると、まず、図１９に示したデータストリームとして入力されるＭＩＣＲ文字印字データの１バイト分を取得し（ステップＳ２１）、その取得したデータの内容が制御シーケンスに該当するもの、すなわち、図１９中のＭＩＣＲ文字制御開始シーケンスの“ＥＳＣ（制御シーケンス開始コマンド）”に該当するものか、ＭＩＣＲ文字制御終了シーケンスの“ＥＳＣ”に該当するものか否かを判別する（ステップＳ２２）。その制御シーケンスの“ＥＳＣ”に該当するものでなければ、現状処理の印刷制御モードへジャンプして当該印刷データの印刷処理を継続する（ステップＳ２３）。
【０１１４】
また、制御シーケンスの“ＥＳＣ”に該当するものであれば、次の１バイトデータを取得して（ステップＳ２４）、その取得したデータの内容が図１９に示した制御シーケンスの“Ｍ（ＭＩＣＲ印字制御コマンド）”に該当するか（ステップＳ２５）、“Ｅ（印字終了コマンド）”に該当するか（ステップＳ２７）、あるいは“Ｓ（印字開始コマンド）”に該当するかを順次判別する（ステップＳ２８）。取得したデータの内容が“Ｍ”に該当しなければ、通常の印字モードによって当該印刷データの印刷処理を実行し（ステップＳ２６）、取得したデータの内容が“Ｍ”に該当し、かつ“Ｅ”に該当せず“Ｓ”にも該当しなければ、シーケンスエラー処理を実行する（ステップＳ２９）。
【０１１５】
また、取得したデータの内容が“Ｍ”に該当し、かつ“Ｅ”に該当せず“Ｓ”に該当すれば、ＭＩＣＲ文字制御モードフラグをＯＮして、当該ＭＩＣＲ文字印字制御処理を開始する（ステップＳ３０）。その“Ｓ”の後にセットされた印字開始座標１（１００，１００），２（１００，３００）を取得して（ステップＳ３１）、手形・小切手用紙内にＭＩＣＲ文字印字開始位置を設定し、その印字開始座標１，２の後にセットされたＭＩＣＲ文字コードに基づいて、ＭＩＣＲ文字の印字処理を繰返し実行する（ステップＳ３２）。
【０１１６】
また、取得したデータの内容が“Ｍ”に該当し、かつ“Ｅ”に該当すれば、その“Ｅ”の後にセットされた印字終了座標１（１５００，１００），２（１５００，３００）を取得して（ステップＳ３３）、手形・小切手用紙内にＭＩＣＲ文字印字終了位置を設定し、ＭＩＣＲ文字制御モードフラグをＯＦＦして、本ＭＩＣＲ文字印字制御処理を終了して（ステップＳ３４）、通常印刷処理に戻る。
【０１１７】
以上のように、上記ＭＩＣＲトナープリンタ２０による印刷制御では、図１９に示したように、コンピュータシステム１からコントローラ部２３に入力される印刷イメージデータのデータストリーム中には、ＭＩＣＲ文字コードの前後にＭＩＣＲ文字制御用のデータストリームを設定して、ＭＩＣＲ文字印字領域であるクリアバンド域と通常印字領域とで、印刷制御内容すなわち印刷制御パラメータの設定を変更することを可能としたため、例えば、エンジン部２５内のヘッドコントロール２５ａにより潜像部２５ｂでドラム２５ｅの感光体フィルムに手形・小切手券面の静電潜像の形成過程を区別して制御が可能であり、かつその形成領域も限定することができる。この静電潜像の形成過程及び形成領域を区別して制御することにより、手形・小切手印刷用紙の券面に転写されるＭＩＣＲトナーの印刷濃度設定をＭＩＣＲ文字印字領域とその他の通常印字領域とで区別して制御することが可能となる。
【０１１８】
したがって、本第２の実施の形態の証券印刷発行システムでは、ＭＩＣＲ文字印字領域をソフトウエアにより通常印字領域とは区別して制御するため、その通常印字領域の印刷濃度の設定変更の影響を受けずに均一なＭＩＣＲ文字を印字することができる。
【０１１９】
また、本第２の実施の形態の証券印刷発行システムでは、ＭＩＣＲ文字印字領域をソフトウエアにより通常印字領域とは区別して制御するため、その機能の実現のためハードウエアの変更が不要であり、ソフトウエアの変更のみで済むため低コストで実現することができる。
【０１２０】
また、ＭＩＣＲ文字印字領域をソフトウエアにより通常印字領域とは区別して制御するソフトウエアは、既存のソフトウエアのロジックに専用のシーケンスを追加するだけの簡易な方法で当該機能を実現することができる。
【０１２１】
さらに、ハードウエアにより手形・小切手用紙の券面に画一的に印字位置部分を制御する場合は、クリアバンド位置の控え部分の印字濃度が制約される場合があるが、ソフトウエアにより制御する場合はその制約を受けずにクリアバンド位置の控え部分の印字濃度を制御する事が可能となる。
【０１２２】
【発明の効果】
請求項１記載の発明の証券発行装置によれば、読取手段により読み取り可能に形成される特殊コード及び該特殊コード以外の証券の券面を構成する他の印刷情報を証券の券面に印刷する同一の印刷手段と、印刷濃度を設定する印刷濃度設定手段とを具備し、印刷手段は、ユーザにより券面全体の印刷濃度が設定された場合に、前記特殊コードは他の印刷情報と異なる印刷濃度の制御を行い、他の印刷情報とは関係しない特殊コードの規格に基づいた印刷濃度で当該特殊コードを印刷したことにより、証券の券面に印字する特殊コードの印字濃度を区別して制御できるため、券面内のその他の印刷部分の印刷濃度の設定変更の影響を受けずに均一な印刷濃度で印字を行うことができ、特殊コードの印字品質を向上させることができる。
【０１２４】
請求項６記載の発明の証券発行装置によれば、ユーザにより印刷濃度設定手段に設定された印刷濃度が特殊コードの文字については濃すぎる場合は、文字フォント設定手段に設定する文字フォントを現在の文字フォントよりも線の太さが細い文字フォントを読み出し、印刷濃度が特殊コードの文字については淡すぎる場合は、現在の文字フォントよりも線の太さが太い文字フォントを読み出して、特殊コードの規格に基づいた印刷濃度で当該特殊コードを印刷するようにしたので、印刷濃度の設定が変更されても券面に印刷する特殊コードの文字の印字品質を維持することができる。
【図面の簡単な説明】
【図１】本発明の証券発行装置を適用した第１の実施の形態の証券印刷発行システムの全体の概略構成を示す図である。
【図２】図１の証券発行システムの全体の機能的構成を示すブロック図である。
【図３】図２のＲＡＭ５内のメモリ構成を示す図である。
【図４】図２の記憶装置６内のメモリ構成を示す図である。
【図５】図４の依頼ファイル６ａ内に格納される依頼ファイルの印刷項目の具体例を示す図である。
【図６】図４の証券書式ファイル６ｉ内に格納される証券書式（印刷項目の印刷位置）の具体例を示す図である。
【図７】図４の署名鑑ファイル６ｆ内に格納される署名鑑イメージデータの具体例を示す図である。
【図８】本第１の実施の形態において図２のＣＰＵ２の証券印刷制御処理により印刷対象となる小切手の券面印刷例を示す図である。
【図９】本第１の実施の形態において図２のＣＰＵ２の証券印刷制御処理により印刷対象となる手形・小切手を同時に印刷可能とする２連用紙の具体例を示す図である。
【図１０】図１のＭＩＣＲトナープリンタ２０内部の構成を示すブロック図である。
【図１１】図２のＣＰＵ２により実行される証券印刷制御処理のフローチャートである。
【図１２】図１０のドラム２５ｅにおける静電潜像の形成過程を制御するヘッドコントロール２５ａ及び潜像部２５ｂの機能構成を示す図である。
【図１３】ＭＩＣＲの印刷領域による制御処理により処理される手形・小切手券面内の各印字領域に形成される静電潜像と印字結果の具体例を示す図である。
【図１４】図１８のＭＩＣＲフォント制御処理において参照される濃度設定パラメータテーブルの具体例を示す図である。
【図１５】図１０のコントローラ部２３により実行されるＭＩＣＲフォント制御処理のフローチャートである。
【図１６】図１５のＭＩＣＲフォント制御処理において設定変更されるＭＩＣＲ文字フォントの具体例を示す図である。
【図１７】図１０のコントローラ部２３により実行されるＭＩＣＲ文字制御処理の一部のフローチャートである。
【図１８】図１７に続くＭＩＣＲ文字制御処理のフローチャートである。
【図１９】図１０のコントローラ部２３に入力されるＭＩＣＲ文字制御データの具体例を示す図である。
【図２０】図１９のＭＩＣＲ文字制御のデータストリーム中にセットされた印字位置座標から作成されたパラメータテーブルの具体例を示す図である。
【図２１】図２０の印字位置座標の関係を手形・小切手用紙の２次元座標系に示した図である。
【符号の説明】
１    コンピュータシステム
２    ＣＰＵ
３    表示装置
４    入力装置
５    ＲＡＭ
６    記憶装置
７    記憶媒体
８    バス
１０    証券検査装置
１１    カール矯正機構
１２    スリッタ機構
１３    印刷券面チェック機構
１３１  ＭＩＣＲリーダ
１３２  イメージリーダ
１４    スタック機構
２０    ＭＩＣＲトナープリンタ
２１    表示操作部
２２    インターフェース部
２３    コントローラ部
２４    ホッパ
２５    エンジン部
２６    スタッカ
２７    電源部
【図１】
0003612930.tif 000002
【図２】
0003612930.tif 000003
【図３】
0003612930.tif 000004
【図４】
0003612930.tif 000005
【図５】
0003612930.tif 000006
【図６】
0003612930.tif 000007
【図７】
0003612930.tif 000008
【図８】
0003612930.tif 000009
【図９】
0003612930.tif 000010
【図１０】
0003612930.tif 000011
【図１１】
0003612930.tif 000012
【図１２】
0003612930.tif 000013
【図１３】
0003612930.tif 000014
【図１４】
0003612930.tif 000015
【図１５】
0003612930.tif 000016
【図１６】
0003612930.tif 000017
【図１７】
0003612930.tif 000018
【図１８】
0003612930.tif 000019
【図１９】
0003612930.tif 000020
【図２０】
0003612930.tif 000021
【図２１】
0003612930.tif 000022